(57)【要約】【課題】本発明は、木箱を精度良くしかも効率良く製造することができる木箱の製造方法を提供する。【解決手段】本発明の木箱の製造方法は、板材４ａ、４ｂ、５ａ、５ｂを組み合わせて枠状体Ａを組み立て、この枠状体Ａの上下開口部を天板材６及び底板材７によって閉止した後、上記枠状体Ａを二分割する木箱の製造方法であって、予め、各板材の内面に内側溝２を凹設しておくと共に外面にこの内側溝２の奥底面１１ａ  の垂直下方に奥底面１２ａ  が達する深さまで外側溝３を凹設しておき、これらの板材を枠状に組み合わせて、内周面と外周面とに内周溝２Ａと外周溝３Ａとを設けてなる枠状体Ａを形成し、これらの内外周溝２Ａ、３Ａ間の枠状体部分を外側から切除することによって箱本体と蓋体とに分割することを特徴とする。【選択図】    図２
2004345673.tif 000002
【特許請求の範囲】
【請求項１】
複数枚の板材を組み合わせて枠状体を組み立て、この枠状体の上下開口部を天板材及び底板材によって閉止した後、上記枠状体を箱本体と蓋体とに二分割する木箱の製造方法であって、予め、上記各板材の内面に内側溝を凹設しておくと共に外面にこの内側溝の奥底面の垂直下方に奥底面が達する深さまで外側溝を凹設しておき、しかる後、これらの板材を枠状に組み合わせて、内周面と外周面とに上記内側溝が周方向に連続してなる内周溝と上記外側溝が周方向に連続してなる外周溝とを設けてなる枠状体を形成し、これらの内外周溝間の枠状体部分を外側から切除することによって、下端開口部の内周面がＬ字状に切欠かれた口部と、上端開口部の外周面が上記口部に嵌合可能にＬ字状に切欠かれた口部とにそれぞれ形成された箱本体と蓋体とに分割することを特徴とする木箱の製造方法。
【発明の詳細な説明】
【０００１】
【発明の属する技術分野】
本発明は、素麺等の収納容器等に用いられる木箱を精度良く製造することができる木箱の製造方法に関する。
【０００２】
【従来の技術】
従来から、素麺等の収納容器として木箱が用いられている。この木箱の製造方法としては、特許文献１に、長尺板材の一面における所定位置に該板材の長さ方向に溝部を凹設した後、この長尺板材から複数枚の板材を切り出し、この板材を溝部を内側にして枠状体に組み立てると共にこの枠状体の上下開口部を底板及び蓋体によって閉止して箱を作り上げ、この箱の外周面に内側の溝部と段違いとなる高さで溝部を形成して上下二体に分離して木箱を製造する木箱の製造法が提案されている。
【０００３】
しかしながら、上記木箱の製造法では、複数枚の板材を枠状体に組み立て、この枠状体の上下開口部を底板及び蓋体によって閉止して箱を形成した後、この箱の外面に溝部を形成していることから、箱の外面に溝部を形成するにあたって箱の内面側に位置している溝部は外部から視認することができず、箱の外面に溝部を内側の溝部に対して段違い状に精度良く形成することが困難であった。
【０００４】
しかも、上述のように、箱の内側に位置する溝部が視認できないことから、箱の外面に溝部を形成するにあたって、箱を誤って上下反転させた状態で箱の外面に溝部を形成してしまうといった事態が発生し、木箱の製造歩留りが悪いといった問題点もあった。
【０００５】
【特許文献１】
特公平６−１５１６１号公報（特許請求の範囲）
【０００６】
【発明が解決しようとする課題】
本発明は、上記問題点に鑑み、木箱を精度良くしかも効率良く製造することができる木箱の製造方法を提供する。
【０００７】
【課題を解決するための手段】
請求項１に記載の木箱の製造方法は、複数枚の板材を組み合わせて枠状体を組み立て、この枠状体の上下開口部を天板材及び底板材によって閉止した後、上記枠状体を箱本体と蓋体とに二分割する木箱の製造方法であって、予め、上記各板材の内面に内側溝を凹設しておくと共に外面にこの内側溝の奥底面の垂直下方に奥底面が達する深さまで外側溝を凹設しておき、しかる後、これらの板材を枠状に組み合わせて、内周面と外周面とに上記内側溝が周方向に連続してなる内周溝と上記外側溝が周方向に連続してなる外周溝とを設けてなる枠状体を形成し、これらの内外周溝間の枠状体部分を外側から切除することによって、下端開口部の内周面がＬ字状に切欠かれた口部と、上端開口部の外周面が上記口部に嵌合可能にＬ字状に切欠かれた口部とにそれぞれ形成された箱本体と蓋体とに分割することを特徴とする。
【０００８】
【作用】
本発明の木箱の製造方法は、板材を枠状に組み立てる前に予め、各板材の内面に内側溝を凹設しておくと共に、外面に内側溝の奥底面の垂直下方に奥底面が達する深さまで外側溝を凹設していることから、板材を枠状に組み合わせてなる枠状体の上下開口部を天板材及び底板材によって閉止して内周溝が外側から視認不能な状態となったとしても、外側溝を目安にして、内外周溝間の枠状体部分を外側から正確に且つ確実に切除して精度良く枠状体を箱本体と蓋体とに上下二分割して木箱を円滑に製造することができる。
【０００９】
しかも、各板材の外面に外側溝を凹設していることから、複数枚の板材を枠状に組み立てた場合に、板材が正しい上下方向及び内外方向で組み合わせられているか否かを、各板材の外側溝が周方向に連続して外周溝を形成しているか否かによって瞬時に確認し、万一、板材の一部が正しく組み合わされていない場合には、その板材を正しい組み合わせ状態に修正し、その後の加工を無駄なく行って効率よく木箱を製造することができる。
【００１０】
【発明の実施の形態】
本発明の木箱の製造方法の一例について図面を参照しつつ説明する。先ず、一定上下幅を有する一定厚みの長尺板材を用意し、図１に示したように、この長尺板材１の内面に、その上端縁から一定上下幅寸法Ｌ１  だけ下方に存した部分に一定上下幅寸法Ｌ２  で且つ一定深さを有する直状内溝１１を長尺板材１の上端縁に沿って水平方向に凹設する。なお、内溝１１の深さは長尺板材１の厚みの半分程度が好ましい。
【００１１】
更に、上記長尺板材１の外面に、直状外溝１２をその奥底面１２ａ  が上記内溝１１の奥底面１１ａ  の垂直下方に達する深さでもって内溝１１に平行した状態に凹設する。具体的には、上記長尺板材１の外面に、上記内溝１１よりも下方であって内外方向に内溝１１と重なり合わない状態に、奥底面１２ａ  が内溝１１の奥底面１１ａ  の垂直下方或いは奥底面１１ａ  よりも僅かに内側に位置し、且つ上下幅寸法Ｌ３  が内溝１１の上下幅Ｌ２  と同一寸法を有する一定深さの直状外溝１２を凹設する。
【００１２】
次に、上記要領で内外面に内外溝１１、１２が凹設された長尺板材１から、所定長さ毎に上下幅の全長に亘って切断することによって、同一長さを有する一対の正面横長長方形状の前後板材４ａ、４ｂと、同一長さを有する一対の側面横長長方形状の左右板材５ａ、５ｂとを切り出す。従って、得られる前後板材４ａ、４ｂ及び左右板材５ａ、５ｂの内外面の夫々には、内溝１１及び外溝１２を長さ方向に所定長さに切断することによって形成された内外水平溝２、３が長さ方向の全長に亘って板材４ａ、４ｂ、５ａ、５ｂの長さ方向の両端面に開口した状態に水平方向に形成されている。なお、内溝１１の奥底面１１ａ  が内側水平溝２の奥底面を形成するので、内溝１１の奥底面と内側水平溝２の奥底面に同一符号１１ａ  を付すと共に、外溝１２の奥底面１２ａ  が外側水平溝３の奥底面を形成するので、外溝１２の奥底面と外側水平溝３の奥底面に同一符号１２ａ  を付す。
【００１３】
そして、上記左右板材５ａ、５ｂにおける長さ方向の両端部内面を、前後板材４ａ、４ｂの厚みに合致した幅寸法で且つ内側水平溝２の深さと同一深さでもって断面Ｌ字状に切欠いて接合段部５１ａ  、５２ａ  、５１ｂ  、５２ｂ  を形成する。
【００１４】
しかる後、図３に示したように、前後板材４ａ、４ｂ及び左右板材５ａ、５ｂを、左右板材５ａ、５ｂの前側接合段部５１ａ  、５１ｂ  に前側板材４ａの長さ方向の両端部を接合一体化させると共に左右板材５ａ、５ｂの後側接合段部５２ａ  、５２ｂ  に後側板材４ｂの長さ方向の両端部を接合一体化させて、矩形枠状体Ａを形成する。なお、前後板材４ａ、４ｂと左右板材５ａ、５ｂとの接合一体化は、釘や螺子等を用いて行ってもよいし或いは接着剤を用いて行ってもよい。又、図３では、左側板材５ａと後側板材４ｂとの接合状態を例として示した。
【００１５】
上記矩形枠状体Ａを形成するにあたっては、前後板材４ａ、４ｂ及び左右板材５ａ、５ｂの内側水平溝２、２・・・が全てが内側となると共に、前後板材４ａ、４ｂ及び左右板材５ａ、５ｂの互いに隣接する内側水平溝２、２同士が対向する開口端縁同士を完全に合致させた状態で周方向に連続して内周溝２Ａを形成し且つ前後板材４ａ、４ｂ及び左右板材５ａ、５ｂの互いに隣接する外側水平溝３、３同士が対向する開口端縁同士を完全に合致させた状態で周方向に連続して外周溝３Ａを形成するように、前後板材４ａ、４ｂ及び左右板材５ａ、５ｂが内外方向及び上下方向に正しい姿勢で配設されるように調整する。
【００１６】
この時、前後板材４ａ、４ｂ及び左右板材５ａ、５ｂのうちの一つでも正しい姿勢で組み合わせられていないと、前後板材４ａ、４ｂ及び左右板材５ａ、５ｂの外側水平溝３、３・・・が周方向に連続しないために外周溝が形成されない。
【００１７】
従って、前後板材４ａ、４ｂ及び左右板材５ａ、５ｂを枠状に組み合わせるに際し、全ての板材４ａ、４ｂ、５ａ、５ｂが正しい姿勢で枠状に組み合わせられているか否かを、外周溝３Ａの形成の有無を外側から確認することによって簡単に判断することができる。
【００１８】
そして、万一、外周溝３Ａが形成されていない場合には、誤った姿勢で組み合わせられた板材を正しい姿勢に修正した上で、前後板材４ａ、４ｂ及び左右板材５ａ、５ｂを枠状に組み合わせて枠状体を確実に形成することができ、これから行われる工程が無駄になるのを未然に防止することができる。
【００１９】
しかる後、図４に示したように、矩形枠状体Ａの上端開口部を該矩形枠状体Ａの上端外周縁と同一形状で且つ同一大きさを有する平面矩形状の天板材６で閉止すると共に、下端開口部を上記矩形枠状体Ａの下端外周縁と同一形状で且つ同一大きさを有する平面矩形状の底板材７で閉止する。なお、矩形枠状体Ａと、天板材６及び底板材７との一体化は、釘や螺子等を用いて行ってもよいし或いは接着剤を用いて行ってもよい。
【００２０】
次に、上記内外周溝２Ａ、３Ａ間の枠状体Ａ部分、即ち、外周溝３Ａの上端面３０Ａ  と内周溝２Ａの下端面２０Ａ  との間にある枠状体Ａ部分を外周溝３Ａを目安にしながら内外周溝２Ａ、３Ａに連通した状態に外側から内外方向の全長に亘って切除することによって、枠状体Ａを上下方向に二分割して、枠状体Ａの下方部分を箱本体Ｂ１とし上方部分を蓋体Ｂ２とした木箱Ｂを製造することができる（図５乃至図７）。なお、枠状体Ａの下方部分を蓋体とし上方部分を箱本体としてもよいことはいうまでもない。
【００２１】
この時、枠状体Ａの外面には全周に亘って外周溝３Ａが形成されており、しかも、板材における内側水平溝２の下端面２０と外側水平溝３の上端面３０との上下方向の離間寸法は予め分かっていることから、上記外周溝３Ａの上端面３０Ａ  を基準にして上方にある、内側水平溝２の下端面２０と外側水平溝３の上端面３０との間の上下方向の離間寸法に相当する上下厚み分の枠状体Ａ部分を切除することによって、内外周溝２Ａ、３Ａ間の枠状体Ａ部分を精度良く切除することができる。
【００２２】
しかも、板材における外側水平溝３の上下方向における形成位置は予め分かっていることから、この外側水平溝３の枠状体Ａにおける上下方向の位置関係を見ることによって、枠状体Ａの上下方向を簡単に且つ確実に見分けることができ、よって、枠状体Ａを誤って上下反転させた状態で、内外周溝２Ａ、３Ａ間の枠状体Ａ部分を誤って切除してしまうといった事故は発生せず、常に、枠状体Ａを正しい上下位置とした上で、内外周溝２、３間の枠状体Ａ部分の切除を正確に行うことができる。
【００２３】
なお、内外周溝２Ａ、３Ａ間の枠状体Ａ部分を切除するにあたって、外周溝３Ａの上端部及び内周溝２Ａの下端部を含めて枠状体Ａ部分を切除してもよく、この場合には、切除される外周溝３Ａの上端部の上下寸法と内周溝２Ａの下端部の上下寸法とが同一寸法となるように、少なくとも、切除される内周溝２Ａの下端部の上下寸法が、切除される外周溝３Ａの上端部の上下寸法よりも短くなるように調整する必要がある。
【００２４】
このようにして得られた木箱Ｂにおいて、その蓋体Ｂ２における口部Ｂ２１  の下端開口部の内周面は、内外周溝２Ａ、３Ａ間の枠状体Ａ部分の切除後に残った内周溝２Ａ部分によってＬ字状に切り欠かれた切欠部Ｂ２２  が形成されている一方、上記箱本体Ｂ１における口部Ｂ１１  の上端開口部の外周面は、内外周溝２Ａ、３Ａ間の枠状体Ａ部分の切除後に残った外周溝３Ａ部分によってＬ字状に切り欠かれた切欠部Ｂ１２  が形成されており、上記蓋体Ｂ２は、その口部Ｂ２１  を上記箱本体Ｂ１の口部Ｂ１１  に嵌合させた状態に上記箱本体Ｂ１の上端開口部を開閉自在に閉止可能に構成されている。
【００２５】
ここで、前後板材４ａ、４ｂ及び左右板材５ａ、５ｂを枠状に組み立てるにあたって、上記左右板材５ａ、５ｂにおける長さ方向の両端部内面に断面Ｌ字状の接合段部５１ａ、５２ａ  、５１ｂ  、５２ｂ  を形成し、この接合段部５１ａ  、５２ａ  、５１ｂ  、５２ｂ  を利用して前後板材４ａ、４ｂ及び左右板材５ａ、５ｂを矩形枠状に組み立てる場合を説明したが、左右板材５ａ、５ｂの両端部に接合段部５１ａ  、５２ａ  、５１ｂ  、５２ｂ  を形成する代わりに、図８に示したように、前後板材４ａ、４ｂ及び左右板材５ａ、５ｂの長さ方向の両端部の夫々を、外面に対して板材４ａ、４ｂ、５ａ、５ｂの中央方向に向かって４５°の角度でもって切除して傾斜接合部Ｃに形成し、前後板材４ａ、４ｂ及び左右板材５ａ、５ｂを互いに対向する傾斜接合部Ｃ、Ｃ同士を接合させた状態で組み合わせて枠状に組み立ててもよい。なお、図８に、左側板材５ａと後側板材４ｂとの接合状態を例として示した。
【００２６】
又、上記では、内溝１１（内側水平溝２）の上下幅寸法Ｌ２  と、外溝１２（外側水平溝３）の上下幅寸法Ｌ３  とが同一寸法となるように、内外溝１１、１２（内外水平溝２、３）を形成した場合を説明したが、内外溝１１、１２（内外水平溝２、３）の上下幅寸法Ｌ２  、Ｌ３  は同一寸法である必要はなく相違してもよいが、このような場合には、内外周溝２Ａ、３Ａ間の枠状体Ａ部分を切除する際に、内周溝２Ａの下端部の一部又は外周溝３Ａの上端部の一部の何れか一方或いは双方を含めて切除し、内外周溝２Ａ、３Ａ間の枠状体Ａ部分の切除後に残った内周溝２Ａ部分の上下寸法が、切除後に残った外周溝３Ａ部分の上下寸法に合致し或いは長くなるように調整することが好ましい。
【００２７】
上記では、各前後板材４ａ、４ｂ及び左右板材５ａ、５ｂの内外面に内外水平溝２、３を形成した場合を説明したが、左右板材５ａ、５ｂの内外面に形成される内外の溝を、図９に示したように、傾斜した内外傾斜溝２’、３’とし、前後板材４ａ、４ｂの内外面に、上記内外傾斜溝２’、３’の前後開口端の高さ位置に合わせて内外水平溝２”、２”、３”、３”を形成する。
【００２８】
そして、上述と同様の要領で、前後板材４ａ、４ｂ及び左右板材５ａ、５ｂを組み合わせて枠状体Ａに組み立て、左右板材５ａ、５ｂの内側傾斜溝２’、２’と前後板材４ａ、４ｂの内側水平溝２”、２”とを連続させて内周溝を形成すると共に左右板材５ａ、５ｂの外側傾斜溝３’、３’と前後板材４ａ、４ｂの外側水平溝３”、３”とを連続させて外周溝を形成する。
【００２９】
次に、上記枠状体Ａの上下開口部を天板材６及び底板材７で閉止した後に、上述と同様の要領で、内外周溝間の枠状体Ａ部分を外側から切除することによって枠状体Ａを上下方向に二分割させ、得られる箱本体及び蓋体の開口端の夫々を傾斜させた状態に形成してもよい。なお、上述した要領を除いては図１乃至図８に示した木箱の製造方法と同様の要領で行えばよい。
【００３０】
最後に、上記では、板材を組み合わせて矩形枠状の枠状体を作製した場合を説明したが、枠状体は矩形枠状に限らず、三角枠状、五角枠状等の多角形の枠状体であってもよい。
【００３１】
【発明の効果】
本発明の木箱の製造方法は、複数枚の板材を組み合わせて枠状体を組み立て、この枠状体の上下開口部を天板材及び底板材によって閉止した後、上記枠状体を箱本体と蓋体とに二分割する木箱の製造方法であって、予め、上記各板材の内面に内側溝を凹設しておくと共に外面にこの内側溝の奥底面の垂直下方に奥底面が達する深さまで外側溝を凹設しておき、しかる後、これらの板材を枠状に組み合わせて、内周面と外周面とに上記内側溝が周方向に連続してなる内周溝と上記外側溝が周方向に連続してなる外周溝とを設けてなる枠状体を形成し、これらの内外周溝間の枠状体部分を外側から切除することによって、下端開口部の内周面がＬ字状に切欠かれた口部と、上端開口部の外周面が上記口部に嵌合可能にＬ字状に切欠かれた口部とにそれぞれ形成された箱本体と蓋体とに分割することを特徴とするので、枠状体の上下開口部を天板材及び底板材とによって閉止した後、内外周溝間の枠状体部分を上下二分割するに際し、枠状体の外周面にその全周に亘って凹設された外周溝を目印にして、内外周溝間の枠状体部分を精度良く切除して枠状体を正確に上下方向に二分割することができ、よって、正確な寸法を有する箱本体と蓋体とからなる木箱を効率良く得ることができる。
【００３２】
しかも、各板材の外面には外側溝が凹設されており、この外側溝が周方向に連続するように外側から確認しつつ、複数枚の板材を枠状に組み合わせるといった簡単な作業でもって、全ての板材を正確な配設状態に組み合わせて枠状体を確実に形成することができ、一部の板材が上下反転或いは左右反転した状態で組み合わせてしまってその後の工程に支障が生じるといった不測の事態を未然に防止することができる。
【００３３】
又、枠状体の外周面には周方向に外周溝が形成され、この外周溝の板材に対する上下方向の位置を見ることによって、枠状体の上下方向を即座に見分けることができ、よって、枠状体を常に天地反転させることなく正確な上下状態としつつ作業を確実に行って効率良く木箱を製造することができる。
【図面の簡単な説明】
【図１】長尺板材に内外溝を形成した状態を示した斜視図である。
【図２】枠状体を示した分解斜視図である。
【図３】互いに隣接する板材同士の接合形態を示した平面図である。
【図４】枠状体の上下開口部を天板材及び底板材で閉止した状態を示した斜視図である。
【図５】枠状体の一部を示した縦断面図である。
【図６】内外周溝間の枠状体部分を切除した状態を示した縦断面図である。
【図７】木箱を示した斜視図である。
【図８】互いに隣接する板材同士の接合形態の他の一例を示した平面図である。
【図９】枠状体の他の一例を示した分解斜視図である。
【符号の説明】
１  長尺板材
１１  内溝
１２  外溝
２  内側水平溝
２Ａ  内周溝
３  外側水平溝
３Ａ  外周溝
４ａ  前側板材
４ｂ  後側板材
５ａ  左側板材
５ｂ  右側板材
６  天板材
７  底板材
Ａ  枠状体
Ｂ  木箱
Ｂ１  箱本体
Ｂ２  蓋体
【図１】
2004345673.tif 000003
【図２】
2004345673.tif 000004
【図３】
2004345673.tif 000005
【図４】
2004345673.tif 000006
【図５】
2004345673.tif 000007
【図６】
2004345673.tif 000008
【図７】
2004345673.tif 000009
【図８】
2004345673.tif 000010
【図９】
2004345673.tif 000011